(57)【要約】      （修正有）【課題】簡単に取り付けることができ、確実に係留することができる杖または傘の立て掛け係留具を提供する。【解決手段】杖または傘の握持部に近い箇所を抱持するホルダー部にキーホルダーを連結し、キーホルダーの先端にポリスチレン系或いはポリウレタン系の粘着ゲル材シートを固着した板体を連結し、板体の粘着ゲル材シートを立ち上り壁に粘着した。【選択図】図３
0003159826.tif 000002
【実用新案登録請求の範囲】
【請求項１】
杖または傘の握持部に近い箇所を抱持するホルダー部にキーホルダーを連結し、キーホルダーの先端にポリスチレン系或いはポリウレタン系の粘着ゲル材シートを固着した板体を連結し、板体の粘着ゲル材シートを壁、柱、テーブルその他の被着材に粘着させ杖または傘を倒れないよう任意の箇所に確実に立て掛け係留することを特徴とする杖または傘の立て掛け係留具。
【請求項２】
キーホルダーに代えストラップを用いて成る請求項１に記載の杖または傘の立て掛け係留具。
【請求項３】
キーホルダーに代えチェンを用いて成る請求項１に記載の杖または傘の立て掛け係留具。
【考案の詳細な説明】
【背景技術】
【０００１】
杖を携行している者が施設へ入るとき、携帯している杖掛け保持具を使用して立て掛け、または施設の管理者が簡単に設置できる杖掛け保持具として、長方形カード型薄板の一方に杖挿脱用の切り込みを設け、他方にマグネット或いは吸盤または粘着テープ、面ファスナー等の固着部材を設け、固着部材を任意の場所に取り付けて杖を立て掛けている（特許文献１）。
【０００２】
ステッキ使用中に、ステッキを手放してもステッキが倒れないようにするステッキ転倒防止具として、ステッキ棒下部に取付部を着脱可能に設けると共に取付部に足踏み用の脚片を設けたものがある（特許文献２）。
【０００３】
杖を身体より離れないようにして杖の置き忘れと、転んだ杖の拾い上げを容易にするため、杖の上部にストラップ取付部材を設け、衣服等へ取付けるクリップと取付部材を連結する連結部材からなる杖用ストラップがある（特許文献３）。
【０００４】
装脱自在で且つ装着したときの密着性が高いステッキホルダーを、ホルダー部と取付金具の２部材に分離したものとして、杖に嵌め込むステッキ保持部を馬蹄形台座に一体に形成したホルダー部と、取付金具の中央部に設けた突起部を、馬蹄形台座の中央部に設けた円穴と円穴に連通する円径より小さい溝に挿し込み９０度回転させてホルダー部を取付金具に自由に取り付け、取り外しができるステッキホルダーがある（特許文献４）。
【先行技術文献】
【特許文献】
【０００５】
【特許文献１】特開２００６−８７５３４号公報
【特許文献２】特開２００６−２３９３７８号公報
【特許文献３】特開２００６−３４４３４号公報
【特許文献４】特開２００５−２８８０９６号公報
【考案の概要】
【考案が解決しようとする課題】
【０００６】
特開２００６−８７５３４号公報に係る発明は、杖を利用している者が携帯して使用するものであり、また施設の管理者が予め必要位置に設置するものであって、杖自体に取り付けているものではない。
【０００７】
特開２００６−２３９３７８号公報に係る発明は、ステッキに設けた脚片を足で踏みステッキ自体が倒れないようにするものである。
【０００８】
特開２００６−３４４３４号公報に係る発明は、杖を身体から離れないように杖にストラップを取り付け、ストラップを身体に取り付けたものである。
【０００９】
特開２００５−２８８０９６号公報に係る発明は、ステッキを嵌め込むホルダー部と、ホルダー部とは別に取付金具を設け、ホルダー部に設けた円穴の溝に取付金具を設けた突起部を挿し込み、円穴までスライドさせてホルダー部を着脱自在に固定するものであり、ステッキ自体にホルダー部を設けると邪魔になるのを解消したがホルダー部を常に携行する必要があり、また取付金具を取り付け位置を選んで常設しなければならない。
【課題を解決するための手段】
【００１０】
杖または傘の握持部に近い箇所を抱持するホルダー部にキーホルダーを連結し、キーホルダーの先端にポリスチレン系或いはポリウレタン系の粘着ゲル材シートを固着した板体を連結する。キーホルダーに代えストラップ、またはチェン等の連結材を用いることもできる。粘着ゲル材シートを壁、柱、テーブルその他の被着材に粘着させ杖または傘を倒れないよう任意の箇所に確実に立て掛け係留することを目的とする。
【考案の効果】
【００１１】
杖または傘の握持部に近いが握持に邪魔にならない箇所にホルダー部を抱持させて簡単に取り付けることができ、キーホルダーの連結環に粘着ゲル材シートを固着した板体を任意の箇所に取り外し可能な粘着力で粘着するため確実に係留することができる。
【００１２】
本考案に係る杖または傘の立て掛け係留具は、杖または傘に常時取り付けることを原則とするため別体の係留具の場合のように携行を忘れたりすることがない。杖または傘を新品に交換するときは取り外し再活用できる。
【００１３】
また、汚れて粘着力が減少した粘着ゲル材シートの表面をブラシで洗浄すると粘着力が回復し確実に係留することができる。
【図面の簡単な説明】
【００１４】
【図１】本考案に係る立て掛け係止具を杖に実施した状態を示す正面図。
【図２】図１におけるＡ矢視部の拡大正面図。
【図３】杖に実施した立て掛け係止具を、立ち上がり壁に連結した状態を示す要部拡大正面図。
【図４】図３におけるＢ矢視拡大平面図。
【図５】本考案に係る立て掛け係止具を傘に実施した状態を示す正面図。
【図６】本考案に係るホルダー部材を示す平面図。
【考案を実施するための形態】
【００１５】
図１において、杖１の握持部１ａの近くに本考案に係る杖の立て掛け係止具２を抱持させるため、その要部拡大図（図２）及び図６に示すように、そのホルダー部３を樋状殻体３ａと、樋状殻体３ａの底部側壁に突設すると共に通孔３ｂを設けた突起３ｃとから一体成形すると共にキーホルダー４を構成する鈎型爪片４ａを通孔３ｂに挿通し且つ、挿通した鈎型爪片４ａが脱落しないようにバネ片４ｂを設けて鈎型爪片４ａに掛脱自在に圧接させ、更にキーホルダー４を構成する捻転自在な連結環４ｃにポリスチレン系或いはポリウレタン系の粘着ゲル材シート５を固着した板体６を連結する。
【００１６】
キーホルダーに代え、ストラップ、チェン等の連結材を用いることもできる。
【実施例】
【００１７】
図５は傘７の握持部７ａの近くの握持に邪魔にならない箇所に設けた本考案に係る傘の立て掛け係留具８を、立ち上がり壁等に係留した実施例を示している。
【００１８】
傘の立て掛け係留具８の詳細な説明は杖の立て掛け係留具２と同様であるため省略し、図３に付したホルダー部３とキーホルダー４に付した符号を、図５にそのまま付している。
【産業上の利用可能性】
【００１９】
本考案は簡便で使い勝手が良いため広く愛用され市場性に富んでいる。
【符号の説明】
【００２０】
１  杖  
１ａ  握持部  
２  杖の立て掛け係留具  
３  ホルダー部  
３ａ  樋状殻体  
３ｂ  通孔  
３ｃ  突起  
４  キーホルダー
４ａ  鈎型爪片  
４ｂ  バネ片  
４ｃ  連結環
５  粘着ゲル材シート  
６  板体  
７  傘  
７ａ  握持部
【図１】
0003159826.tif 000003
【図２】
0003159826.tif 000004
【図３】
0003159826.tif 000005
【図４】
0003159826.tif 000006
【図５】
0003159826.tif 000007
【図６】
0003159826.tif 000008
【手続補正書】
【提出日】平成22年3月17日(2010.3.17)
【手続補正１】
【補正対象書類名】明細書
【補正対象項目名】全文
【補正方法】変更
【補正の内容】
【考案の詳細な説明】
【技術分野】
【０００１】
本考案は杖又は傘の立掛係留具に関する。
【背景技術】
【０００２】
杖を携行している者が施設へ入るとき、携帯している杖掛け保持具を使用して立て掛け
、または施設の管理者が簡単に設置できる杖掛け保持具として、長方形カード型薄板の一
方に杖挿脱用の切り込みを設け、他方にマグネット或いは吸盤または粘着テープ、面ファ
スナー等の固着部材を設け、固着部材を任意の場所に取り付けて杖を立て掛けている（特
許文献１）。
【０００３】
ステッキ使用中に、ステッキを手放してもステッキが倒れないようにするステッキ転倒
防止具として、ステッキ棒下部に取付部を着脱可能に設けると共に取付部に足踏み用の脚
片を設けたものがある（特許文献２）。
【０００４】
杖を身体より離れないようにして杖の置き忘れと、転んだ杖の拾い上げを容易にするた
め、杖の上部にストラップ取付部材を設け、衣服等へ取付けるクリップと取付部材を連結
する連結部材からなる杖用ストラップがある（特許文献３）。
【０００５】
装脱自在で且つ装着したときの密着性が高いステッキホルダーを、ホルダー部と取付金
具の２部材に分離したものとして、杖に嵌め込むステッキ保持部を馬蹄形台座に一体に形
成したホルダー部と、取付金具の中央部に設けた突起部を、馬蹄形台座の中央部に設けた
円穴と円穴に連通する円径より小さい溝に挿し込み９０度回転させてホルダー部を取付金
具に自由に取り付け、取り外しができるステッキホルダーがある（特許文献４）。
【先行技術文献】
【特許文献】
【０００６】
【特許文献１】特開２００６−８７５３４号公報
【特許文献２】特開２００６−２３９３７８号公報
【特許文献３】特開２００６−３４４３４号公報
【特許文献４】特開２００５−２８８０９６号公報
【考案の概要】
【考案が解決しようとする課題】
【０００７】
特開２００６−８７５３４号公報に係る発明は、杖を利用している者が携帯して使用す
るものであり、また施設の管理者が予め必要位置に設置するものであって、杖自体に取り
付けているものではない。
【０００８】
特開２００６−２３９３７８号公報に係る発明は、ステッキに設けた脚片を足で踏みス
テッキ自体が倒れないようにするものである。
【０００９】
特開２００６−３４４３４号公報に係る発明は、杖を身体から離れないように杖にスト
ラップを取り付け、ストラップを身体に取り付けたものである。
【００１０】
特開２００５−２８８０９６号公報に係る発明は、ステッキを嵌め込むホルダー部と、
ホルダー部とは別に取付金具を設け、ホルダー部に設けた円穴の溝に取付金具を設けた突
起部を挿し込み、円穴までスライドさせてホルダー部を着脱自在に固定するものであり、
ステッキ自体にホルダー部を設けると邪魔になるのを解消したがホルダー部を常に携行す
る必要があり、また取付金具を取り付け位置を選んで常設しなければならない。
【課題を解決するための手段】
【００１１】
杖または傘の握持部に近い箇所を抱持するホルダー部にキーホルダーを連結し、キーホ
ルダーの先端にポリスチレン系或いはポリウレタン系の粘着ゲル材シートを固着した板体
を連結する。キーホルダーに代えストラップ、またはチェン等の連結材を用いることもで
きる。粘着ゲル材シートを壁、柱、テーブルその他の被着材に粘着させ杖または傘を倒れ
ないよう任意の箇所に確実に立て掛け係留することを目的とする。
【考案の効果】
【００１２】
杖または傘の握持部に近いが握持に邪魔にならない箇所にホルダー部を抱持させて簡単
に取り付けることができ、キーホルダーの連結環に粘着ゲル材シートを固着した板体を任
意の箇所に取り外し可能な粘着力で粘着するため確実に係留することができる。
【００１３】
本考案に係る杖または傘の立て掛け係留具は、杖または傘に常時取り付けることを原則
とするため別体の係留具の場合のように携行を忘れたりすることがない。杖または傘を新
品に交換するときは取り外し再活用できる。
【００１４】
また、汚れて粘着力が減少した粘着ゲル材シートの表面をブラシで洗浄すると粘着力が
回復し確実に係留することができる。
【図面の簡単な説明】
【００１５】
【図１】本考案に係る立て掛け係止具を杖に実施した状態を示す正面図。
【図２】図１におけるＡ矢視部の拡大正面図。
【図３】杖に実施した立て掛け係止具を、立ち上がり壁に連結した状態を示す要部拡大正面図。
【図４】図３におけるＢ矢視拡大平面図。
【図５】本考案に係る立て掛け係止具を傘に実施した状態を示す正面図。
【図６】本考案に係るホルダー部材を示す平面図。
【考案を実施するための形態】
【００１６】
図１において、杖１の握持部１ａの近くに本考案に係る杖の立て掛け係止具２を抱持さ
せるため、その要部拡大図（図２）及び図６に示すように、そのホルダー部３を樋状殻体
３ａと、樋状殻体３ａの底部側壁に突設すると共に通孔３ｂを設けた突起３ｃとから一体
成形すると共にキーホルダー４を構成する鈎型爪片４ａを通孔３ｂに挿通し且つ、挿通し
た鈎型爪片４ａが脱落しないようにバネ片４ｂを設けて鈎型爪片４ａに掛脱自在に圧接さ
せ、更にキーホルダー４を構成する捻転自在な連結環４ｃにポリスチレン系或いはポリウ
レタン系の粘着ゲル材シート５を固着した板体６を連結する。
【００１７】
キーホルダーに代え、ストラップ、チェン等の連結材を用いることもできる。
【実施例】
【００１８】
図５は傘７の握持部７ａの近くの握持に邪魔にならない箇所に設けた本考案に係る傘の
立て掛け係留具８を、立ち上がり壁等に係留した実施例を示している。
【００１９】
傘の立て掛け係留具８の詳細な説明は杖の立て掛け係留具２と同様であるため省略し、
図３に付したホルダー部３とキーホルダー４に付した符号を、図５にそのまま付している
。
【産業上の利用可能性】
【００２０】
本考案は簡便で使い勝手が良いため広く愛用され市場性に富んでいる。
【符号の説明】
【００２１】
１  杖  
１ａ  握持部  
２  杖の立て掛け係留具  
３  ホルダー部  
３ａ  樋状殻体  
３ｂ  通孔  
３ｃ  突起  
４  キーホルダー
４ａ  鈎型爪片  
４ｂ  バネ片  
４ｃ  連結環
５  粘着ゲル材シート  
６  板体  
７  傘  
７ａ  握持部